(57)【要約】      （修正有）【課題】使用者の使い易いウエストベルト付きのリュックサックを提供する。【解決手段】リュックサックに於ける構造で、背負った者の身体にリュックサック本体をしっかりと固定させる為リュックサックの本体３に縫い付けられた幅の広いウエストベルト１を、リュックサック本体３側に近い適切な部分で分離し、分離した部分に（コイル・プラスティック・金属）タイプのファスナー４を縫合することにより、幅の広いウエストベルト１を着脱自在化した。【選択図】図２
2014183881.tif 000002
【特許請求の範囲】
【請求項１】
リュックサックに附属した幅の広いウエストベルト（１）をリュックサック本体（３）に近い適切な位置で分離すること。なお、幅の広いウエストベルトであるならば、物入れポケットの有無を問わない。
（註1）「０００２」項にて「その中間的に位置するアウトドア用途対応にもタウン用途対応にも使用されると思われクラスのリュックサック」との表現は、説明を分かり易くするために便宜上このような表現にしただけであり、リュックサックを見てもそれがアウトドア用途用かタウン用途用であるかを明確に決めた定義は無いので、幅の広いウエストベルトを具備するリュックサックであれば、ランニング用リュックサック（バックパックとも呼ばれる）も含め総ての物に「特許請求の範囲」を適用する。
（註２）ここで言う「適切な位置で分離すること」の意味は、リュックサックのメーカーが幅の広いウエストベルトを設計するとき、最初の設計段階から分離した状態で設計図面を起こすか、それとも出来上がった幅の広いウエストベルトを実際に工具で切断して分離するかについては、その製造工程の方式までは問わない。また、「０００７」項の（ホ）に於けるリュックサックに一般的に附属している約２センチ幅のテープ状のベルトが補強的に取り付けられているかどうかは、問わない。
【請求項２】
幅の広いウエストベルトの分離部分にファスナー（４）を縫合すること。対象と成るファスナーの種類は、コイルファスナー、プラスティックファスナー、金属ファスナーを問わない。また、ファスナーのスライダーにストッパーが附属しているかどうかは問わない。
【発明の詳細な説明】
【技術分野】
【０００１】
本発明は、根元の部分がリュックサック本体に縫い付けられている幅の広いウエストベルトをリュックサックの使用するシーンに合わせ、ファスナーを利用して着脱自在にするものである。
（註）ここで言う「幅の広い」の意味は、リュックサックに一般的に附属している約２センチ幅のテープ状のベルトよりも数倍以上に幅の広いベルトを言い、ベルトの幅の数値を限定的に言うものでは無い。
【背景技術】
【０００２】
従来、リュックサックの機能として本格的なアウトドア用途対応の物には、リュックサック本体をしっかりと身体に固定するための頑丈な幅の広いウエストベルトが附属しているし、反対にタウン用途対応の物にはウエストベルトは附属していない。
しかし、その中間的に位置するアウトドア用途対応にもタウン用途対応にも使用されると思われるクラスのリュックサックでは内容量の違いによる理由なのか、ウエストベルトに関して次の３つのタイプが見受けられる。
１つ目は、ウエストベルトが附属し無い物である。２つ目は、リュックサックに一般的に附属している約２センチ幅のテープ状のベルトで出来ているウエストベルトである。３つ目は、リュックサック本体に縫い付けられた幅の広いウエストベルトである。
【発明の概要】
【発明が解決しようとする課題】
【０００３】
今回の発明の対象とするウエストベルトは、「０００２」項で説明した３つ目のタイプである。３つ目のタイプのリュックサックをタウン用途対応に使用する場合、次のような欠点があった。
（イ）リュックサックを背負って街中を散歩する場合、幅の広いウエストベルトを腰の周りに巻いて装着すると、着用する上着の種類によっては、大きな違和感を感じる場合がある。例えば背広の上下着用時のような場合である。その他、その時の事情でウエストベルトが邪魔に感ずる場合や、ウエストベルトを留めずに垂らしていると、何かに巻き込まれて危険に陥る場合もあり得る。
（ロ）幅の広い左右のウエストベルトをリュックサック本体の背負う人の背に当たる部分に、リュックサックに一般的に附属している約２センチ幅のテープ状のベルト及びテープアジャスターバックルを利用して×字状に固定すれば他人の視界から隠す事は出来るが、リュックサックを背負ったとき背中に異物感を感じるし、幅の広いウエストベルトの物入れポケットに固い物を入れている場合にはなお一層異物感を感じる場合もあり、使用者の身体にフィット感のある背負い方が出来ない。本発明は、以上の問題点を解決するために発明されたものである。
（註）この項の説明で、発明の対象を「３つ目のタイプ」と限定したのは、技術の背景を分かり易く説明するために便宜上限定しただけであり、特許権の請求の範囲に関しては別途「（書類名）特許権請求の範囲」の（註１）に、明確な「範囲」の説明を加えた。
【課題を解決するための手段】
【０００４】
根元をリュックサック本体に縫い付けられた幅の広いウエストベルトの縫い付けられた部分に近い適切な部分で分離し、分離した部分にファスナーを使用して幅の広いウエストベルトを着脱自在にする。
【発明の効果】
【０００５】
本発明を使用することで、この幅の広いウエストベルトの付いたリュックサックの使用者が、ウエストベルトをファスナーにて装着することで、リュックサック本体を身体にしっかりと固定する本来の目的で使用出来るし、或るいはその時の使用条件又は気分により幅の広いウエストベルトをリュックサック本体から取り外すことで、着脱自在に使用することが出来る。
【図面の簡単な説明】
【０００６】
【図１】リュックサックの右後方からの概要斜視図（物入れポケット附属ウエストベルト例）
【図２】本発明によるファスナーを使用したウエストベルト装着図（物入れポケット附属例）
【図３】本発明によるファスナーを使用したウエストベルト分離図（物入れポケット附属例）
【図４】リュックサックに一般的に附属している約２センチ幅のテープ状のウエストベルト（テープアジャスターバックル附属例）
【発明を実施するための形態】
【０００７】
以下、本発明の実施の形態を説明する。
（イ）幅の広いウエストベルト（１）のリュックサック本体（３）に近い部分を適切な位置で分離し、ファスナー（４）を取り付ける。
（ロ）同様な方法で反対側の幅の広いウエストベルトにもファスナーを取り付ける。
（ハ）ファスナーは、やや高価なナイロンファスナー（コイルファスナー）、視覚的にもデザイン性のある廉価なプラスティックファスナー（射出ファスナー）、従来から有る金属製ファスナーを使用し、縫い付けは下止め方式とする。即ち、人間工学的見地からファスナーの嵌合は下側から行い、ファスナースライダーの取手部分を下から上に引き上げて装着完了とする。ファスナースライダーには、ストッパーが付いていればベターである。
（ニ）右利きの人間が多いこと及び人間工学的見地から考え、分離出来る一対のファスナーに関しての注意事項を加えたい。スライダーが付いている方のファスナーを幅の広いウエストベルトへの取り付ける方法について説明すると、左右のベルトによって異なる。即ち、背負った場合に右側に来るウエストベルトは、スライダーが付いている方を取り外せるベルト側とする。左側のウエストベルトでは、スライダーの付いている方のファスナーは、リュックサック本体に縫い込まれている方とする。
（ホ）主としてアウトドア用途で使用中にファスナーが自然に外れ、幅の広いウエストベルトがリュックサック本体を身体にしっかりと固定出来なく成る危険を防止するために、リュックサックに一般的に附属している約２センチ幅のテープ状のベルトで繋いでいる場合は、テープアジャスターバックルを使用してそのテープ状ベルトも分離出来る構造にしておくことが必要である。（図４参照）
（ヘ）本発明は以上の構成から成るので本発明のリュックサックの使用者は、使用するシーン又は気分に合わせて自己の意志でウエストベルトの着脱を選択出来る。
（ト）また、従来の製品から見受けられるウエストベルトに物入れポケットを附属させることも出来る。
（チ）このクラスのリュックサックには、底部にリュックサックに被せる内蔵レインカバーを収めるポケット等を有している場合が多いので、ファスナーの嵌合を外したウエストベルトはそのようなポケットに収めることで必要時自由自在に使うことが出来る。あるいはリュックサックの設計時、分離したウエストベルトを収納するポケットを設けることも出来る。
【符号の説明】
【０００８】
１  幅の広いウエストベルト（物入れポケット附属例）
２  ファスナーを取り付ける部分
３  リュックサック本体
４  ファスナー
５  ファスナーのスライダー
６  リュックサックに一般的に附属している約２センチ幅のテープ状のベルト
７  テープアジャスターバックル
【図１】
2014183881.tif 000003
【図２】
2014183881.tif 000004
【図３】
2014183881.tif 000005
【図４】
2014183881.tif 000006